(57)【要約】【課題】会計処理での客捌きの効率向上を図る。【解決手段】登録装置は、会計情報を特定する会計識別情報を記録媒体上に出力する会計識別情報出力手段と、会計識別情報と会計情報とを対応付けて会計サーバに送信する会計情報送信手段とを備える。会計サーバは、登録装置が送信した会計識別情報と会計情報とを対応付けて会計情報記憶手段に格納する会計情報管理手段を備える。会計装置は、記録媒体から会計識別情報を読み取る読取手段と、読取手段が読み取った会計識別情報に対応する会計情報を会計情報記憶手段から読み込む会計情報読込手段と、会計情報読込手段が読み込んだ会計情報を用いて会計処理を行う会計手段と、会計処理の終了後に、会計識別情報に対応する会計処理が終了したことを示す情報を、会計サーバの会計情報記憶手段および記録媒体のうち少なくとも一方に書き込む会計処理状況管理手段とを備える。【選択図】図６
2019128782.tif 000002
【特許請求の範囲】
【請求項１】
登録装置と、会計サーバと、会計装置とを備え、
前記登録装置は、
会計情報を特定する会計識別情報を記録媒体上に出力する会計識別情報出力手段と、
前記会計識別情報と前記会計情報とを対応付けて前記会計サーバに送信する会計情報送信手段と、を備え、
前記会計サーバは、
前記登録装置が送信した前記会計識別情報と前記会計情報とを対応付けて会計情報記憶手段に格納する会計情報管理手段を備え、
前記会計装置は、
前記記録媒体から前記会計識別情報を読み取る読取手段と、
前記読取手段が読み取った前記会計識別情報に対応する前記会計情報を前記会計サーバの前記会計情報記憶手段から読み込む会計情報読込手段と、
前記会計情報読込手段が読み込んだ前記会計情報を用いて会計処理を行う会計手段と、
前記会計処理の終了後に、前記会計識別情報に対応する会計処理が終了したことを示す情報を、前記会計サーバの前記会計情報記憶手段および前記記録媒体のうち少なくとも一方に書き込む会計処理状況管理手段と、
を備えた会計システム。
【請求項２】
前記登録装置の前記会計識別情報出力手段は、前記会計識別情報を含むコードシンボルをラベルに印字出力し、
前記会計装置の前記読取手段は、前記ラベルに印字されたコードシンボルから前記会計識別情報を読み取る、請求項１に記載の会計システム。
【請求項３】
前記会計装置は、
前記会計情報記憶手段および前記記録媒体のうち少なくとも一方に基づいて、前記読取手段が読み取った前記会計識別情報に対応する会計処理がすでに終了していれば、エラー出力するエラー出力手段を更に備えた、請求項１または２に記載の会計システム。
【請求項４】
前記会計システムは監視装置を更に備え、前記監視装置は、
前記記録媒体から前記会計識別情報を読み取る読取手段と、
前記会計情報記憶手段および前記記録媒体のうち少なくとも一方に基づいて、前記読取手段が読み取った前記会計識別情報に対応する会計処理が終了していなければ、エラー出力するエラー出力手段と、を備えた請求項１ないし３のいずれか１つに記載の会計システム。
【請求項５】
前記登録装置の前記会計識別情報出力手段は、前記会計識別情報を近距離無線通信によってＲＦＩＤタグに書き込み、
前記会計装置の前記読取手段は、前記ＲＦＩＤタグから前記会計識別情報を読み取り、
前記会計装置の前記会計処理状況管理手段は、前記会計処理の終了後に、当該会計処理が終了したこと示す情報を前記ＲＦＩＤタグに書き込み、
前記監視装置の前記エラー出力手段は、前記ＲＦＩＤタグから前記会計識別情報を読み取ったが、当該ＲＦＩＤタグに前記会計処理が終了したことを示す情報が読み取れなかった場合にエラー出力する、請求項４に記載の会計システム。
【請求項６】
表示器と、決済媒体の挿入口と、レシートの発行口とを備えた本体と、
前記本体の側部に設けられ、登録装置により登録処理が行われた商品を載置する載置台と、
前記本体の側面部に設けられ、前記載置台上の物品を撮像する撮像手段と、
前記撮像手段が撮像した撮像画像に含まれるコードシンボルから、会計処理を特定する会計識別情報を読み取る読取手段と、
前記読取手段が読み取った前記会計識別情報に対応する会計情報を、会計識別情報と会計情報とを対応付けて記憶する会計サーバから読み込む会計情報読込手段と、
前記会計情報読込手段が読み込んだ前記会計情報を用いて会計処理を行う会計手段と、
を備えた会計装置。
【発明の詳細な説明】
【技術分野】
【０００１】
本発明の実施形態は、会計システムおよび会計装置に関する。
【背景技術】
【０００２】
従来、商品の登録処理は店員が登録装置で行って、会計（精算）処理は会計装置から客が行うセミセルフタイプのチェックアウトシステム（会計システム）がある。このようなセミセルフタイプの会計システムでは、店員が「待機中」の会計装置、即ち客の操作中でない会計装置を目視で確認して、会計データの送信先を指定する操作を行う。登録装置は当該操作を受付けると、会計データを送信先の会計装置に送信し、会計装置では会計データを受信すると、該当する客による会計操作の待ち状態となる。
【０００３】
上述したような会計システムでは、店員がデータ送信先の会計装置を目で見て探し、該当する会計装置を登録装置から選択する操作を行わねばならないため、繁忙時間帯には店員の負担となるケースもあった。また、登録装置に接続された会計装置が全て使用中であれば、会計装置には順番待ちの客が並ぶこととなり、会計データが転送されていてもすぐに会計できない客が出るといった課題もあった。このように従来、セミセルフ会計システムでの客捌きの効率を向上できるシステムの開発が望まれている。
【発明の概要】
【発明が解決しようとする課題】
【０００４】
本発明が解決しようとする課題は、会計処理での客捌きの効率向上を図ることができる会計システムおよび会計装置を提供することである。
【課題を解決するための手段】
【０００５】
実施形態の会計システムは、登録装置と、会計サーバと、会計装置とを備える。前記登録装置は、会計情報を特定する会計識別情報を記録媒体上に出力する会計識別情報出力手段と、前記会計識別情報と前記会計情報とを対応付けて前記会計サーバに送信する会計情報送信手段と、を備える。前記会計サーバは、前記登録装置が送信した前記会計識別情報と前記会計情報とを対応付けて会計情報記憶手段に格納する会計情報管理手段を備える。前記会計装置は、前記記録媒体から前記会計識別情報を読み取る読取手段と、前記読取手段が読み取った前記会計識別情報に対応する前記会計情報を前記会計サーバの前記会計情報記憶手段から読み込む会計情報読込手段と、前記会計情報読込手段が読み込んだ前記会計情報を用いて会計処理を行う会計手段と、前記会計処理の終了後に、前記会計識別情報に対応する会計処理が終了したことを示す情報を、前記会計サーバの前記会計情報記憶手段および前記記録媒体のうち少なくとも一方に書き込む会計処理状況管理手段と、を備える。
【図面の簡単な説明】
【０００６】
【図１】図１は、実施形態にかかる会計システムの全体構成例を示す図である。
【図２】図２は、登録装置の外観を示す斜視図である。
【図３】図３は、登録装置が発行する会計用ラベルの印刷例を示した図である。
【図４】図４は、会計用ラベルをカゴに貼り付けた例を示す図である。
【図５】図５は、会計装置の外観を示す斜視図である。
【図６】図６は、図４に示したカゴを載置台に置いた際の会計装置の外観図である。
【図７】図７は、登録装置のハードウェア構成および機能的構成を示すブロック図である。
【図８】図８は、会計装置のハードウェア構成および機能的構成を示すブロック図である。
【図９】図９は、会計サーバのハードウェア構成および機能的構成を示すブロック図である。
【図１０】図１０は、監視装置のハードウェア構成および機能的構成を示すブロック図である。
【図１１】図１１は、登録装置および会計サーバが実行する会計データファイル更新処理の手順例を示したフローチャートである。
【図１２】図１２は、会計装置および会計サーバが実行する会計データファイル更新処理の手順例を示したフローチャートである。
【図１３】図１３は、監視装置および会計サーバが実行する監視処理の手順例を示したフローチャートである。
【発明を実施するための形態】
【０００７】
図１は、実施形態にかかる会計システム１００の全体構成例を示す図である。会計システム１００は、登録装置２（２ａ、２ｂ）と、会計装置３（３ａ〜３ｅ）と、監視装置４（４ａ、４ｂ）と、会計サーバ６とを主に備えている。登録装置２、会計装置３、および監視装置４は店舗の会計エリア６０に設置され、会計サーバ６は店舗のバックヤードに設置される。登録装置２ａ、２ｂはそれぞれカウンタ５ａ、５ｂ上に設置されて用いられる。また、監視装置４は会計エリア６０の出口近傍に設けられる。監視装置４は、未会計のカゴが会計エリア６０外に持ち出される不正行為を監視するための装置である。尚、会計済みの商品をカゴからレジ袋やエコバック等に詰め込む荷詰め台は、会計エリア６０の外に設けられている。これら各装置は、ＬＡＮ（Local  Area  Network）等のネットワークＮＴで相互にデータ通信可能に接続されている。尚、接続方法は特に限定されず、有線接続でもよいし、無線接続でもよい。
【０００８】
尚、図１では、登録装置２を２台、会計装置３を５台、店舗の会計エリア６０に備えた例を示したが、各装置の台数はこれに限定されない。登録装置２は１台以上あればよいし、会計装置３は２台以上の複数台であればその台数は特に限定されない。また、監視装置４の台数は店舗の出入り口と会計エリア６０の出口との関係から適宜決定すればよい。以下では、各装置を区別せずに説明する場合には、登録装置２ａ、２ｂを登録装置２と称し、会計装置３ａ〜３ｅを会計装置３と称する。同様に、監視装置４ａ、４ｂを監視装置４と称し、カウンタ５ａ、５ｂをカウンタ５と称する。
【０００９】
本実施形態に係る会計処理の運用方法の一例について、概略を述べる。店員であるオペレータＯは、登録装置２を操作して客Ｃが購入する商品の登録処理を行う。オペレータＯは登録処理を終えた順に商品をカゴに詰めていく。全ての商品について登録が終了すると、本実施形態の登録装置２は会計処理に用いる会計データを会計サーバ６に送信する。また、登録装置２は、会計データを識別する会計識別情報をエンコードしたコードシンボル７１を会計用ラベル７０（ともに図３参照）に印字する。オペレータＯは会計用ラベル７０を商品の入ったカゴ８０（図４参照）に貼り付ける。客Ｃは会計用ラベル７０の貼られたカゴ８０を持って、他の客が並んでいない、あるいは、待ち人数の少ない会計装置３を自ら選び、当該会計装置３で会計処理を開始する。会計処理が開始されると、会計装置３は会計用ラベル７０のコードシンボル７１から会計識別情報を読み取り、当該会計識別情報に対応する会計データを会計サーバ６から読み込んで、会計処理を行う。
【００１０】
従来、登録装置１台につき複数台の会計装置を接続して、自装置に接続された会計装置に登録装置が会計データを送信する場合には、データ送信先として指定できる会計装置の台数は自装置に接続された会計装置の台数に制限されてしまう。一方で、本実施形態では、全ての登録装置２で生成された会計データをいったん会計サーバ６に集約するので、データ送信先とする会計装置の台数は最大で店舗が有する会計装置の総台数とすることができる。従って、会計装置の有効利用台数を増加させて、会計処理での客捌きの効率を向上できる。
【００１１】
また、本実施形態では、客が空いている会計装置３を自ら探して選択するので、店員は次の客の登録作業に速やかに移行することができ、登録装置２での客捌き効率を向上できる。また、上述のような会計用ラベルをカゴに貼り付けることで、客に手間をかけず会計装置３は会計データを会計サーバ６から読み込むことができる。
【００１２】
以下、各装置の構成および会計処理の手順についてより詳細に説明する。
【００１３】
まず、登録装置２の構成について、図２を用いて説明する。
【００１４】
図２は、登録装置の外観を示す斜視図である。図２に示すように、カウンタ５の上面に設置された登録装置２は、読取窓１１２を有する縦型のスキャナ１１１をベースに構成されている。スキャナ１１１は、商品に付されたコードシンボル（例えばバーコード）にレーザ光を走査して、コードシンボルから商品コードを読み取る。尚、スキャナ１１１は、一般物体認識の技法を用いて撮像画像に含まれる商品を特定してもよい。
【００１５】
また、登録装置２は、スキャナ１１１の上部にオペレータ用表示器１１４および操作部１１５を備えている。オペレータ用表示器１１４は、スキャナ１１１の撮像部で撮像された商品の商品名および価格等を表示する。オペレータ用表示器１１４の表面には、タッチパネル１１３が設けられている。タッチパネル１１３および操作部１１５は、商品情報の入力を補助するためのものである。
【００１６】
オペレータ用表示器１１４の左側には、プリンタ１１６が設けられている。プリンタ１１６は、本実施形態にかかる会計用ラベル７０（図３参照）を印刷する。オペレータ用表示器１１４の右側には、カードリーダ１１８が設けられている。カードリーダ１１８は、挿入口１１８Ａから挿入されたポイントカード等の磁気カードに対して磁気的に情報を読み書きする。また、プリンタ１１６の背面側であって、オペレータ用表示器１１４の表示面と反対側の位置には、客用表示器１１７が設けられている。
【００１７】
登録装置２では、商品に付されたバーコードや２次元コード等のコードを読み取って、当該コードに含まれる商品コードに基づいて商品を特定する。登録装置２は、商品コードに基づいて特定した商品の確認や、個数などの入力を受け付ける画面をオペレータ用表示器１１４に表示する。そして、登録装置２は、入力を受け付けた商品の商品コード、入力された個数等の情報に基づき、商品コードに対応する商品の商品分類、商品コード、商品名、単価等の商品情報をＰＬＵファイルＦ１（図７参照）から読み出して、売上データとして売上ファイルＦ２（図７参照）に記憶する。
【００１８】
全ての商品の登録が終了すると、登録装置２は合計金額や付与ポイント数等を含む会計データを生成し、会計データを特定する会計識別情報に対応付けて会計サーバ６に送信する。また、登録装置２は、会計識別情報をエンコードしたコードシンボルを生成し、プリンタ１１６によって当該コードシンボルを印刷した会計用ラベル７０（図３参照）を発行する。
【００１９】
図３は、登録装置２が発行する会計用ラベル７０の印刷例を示した図である。会計用ラベル７０には、会計識別情報をエンコードしたコードシンボル７１が印刷される。尚、コードシンボル７１には、合計金額、会員番号、登録処理を行った日時、登録処理を行った登録装置２の識別情報、登録処理を行った店員の識別情報などの情報をエンコードしてもよい。登録装置２のオペレータは、プリンタ１１６が発行した会計用ラベル７０を、登録処理を行った商品を詰めたカゴ８０の側面８１（ともに図４参照）に貼り付ける。
【００２０】
図４は、会計用ラベル７０をカゴ８０に貼り付けた例を示す図である。会計用ラベル７０のサイズは、後述する会計装置３のカメラ３０３（図５参照）の撮像範囲に対応するサイズとするとよい。また、会計用ラベル７０が貼り付けたカゴ８０は、登録済みであって会計前、即ち未精算の商品を入れたカゴであるから、アテンダント店員や監視用店員が未精算のカゴであることを一目見て識別できることが望ましい。また、後述するように、監視装置４によってコードシンボル７１の読取を行うので、会計用ラベル７０またはコードシンボル７１のサイズは、例えば６〜８ｃｍ以上とし、数メートル離れた位置からでもコード読取ができるサイズであることが望ましい。
【００２１】
会計用ラベル７０をカゴ８０に貼り付ける位置は、後述する会計装置３のカメラ３０３（図５参照）の撮像範囲に対応する位置とするとよい。図４の例では、カゴ８０の面積が広い方の側面８１のほぼ中央に会計用ラベル７０を１枚貼り付けた例を示した。尚、登録装置２は一取引につき会計用ラベル７０を２枚発行し、カゴ８０の表側の側面と裏側の側面との双方に１枚ずつ、会計用ラベル７０を貼り付けるとしてもよい。
【００２２】
次に、会計装置３の構成について、図５を用いて説明する。
【００２３】
図５は、会計装置３の外観を示す斜視図である。図５に示すように、会計装置３は、第１の筐体３０１と、第２の筐体３０２とを備えている。
【００２４】
第１の筐体３０１は、スキャナ３１７と釣銭機３２０とを備えている。スキャナ３１７は、スキャナ１１１（図７参照）と同様の構造を有し、買い忘れた商品の追加登録や、クーポン等のコード読取に用いられる。釣銭機３２０は、紙幣投入口３２１と、紙幣出金口３２２と、硬貨投入口３２３と、硬貨出金部３２４とを備えている。釣銭機３２０は、紙幣投入口３２１に投入された紙幣を紙幣収納部（図示せず）に収納する。また、釣銭機３２０は、硬貨投入口３２３に投入された硬貨を硬貨収納部（図示せず）に収納する。そして、釣銭機３２０は、制御部３４０（図８参照）からの釣銭の払い出し要求に応じて、紙幣の釣銭を紙幣出金口３２２に払い出す。また釣銭機３２０は、制御部３４０からの釣銭の払い出し要求に応じて、硬貨の釣銭を硬貨出金部３２４に払い出す。
【００２５】
第２の筐体３０２は、第１の筐体３０１の上面３０１ａに設けられており、表示器３１５と、カードリーダ３１８と、プリンタ３１９とを備えている。表示器３１５は、第２の筐体３０２の上方に取り付けられており、表面にタッチパネル３１６を備えた液晶パネルで構成されている。カードリーダ３１８は、カード挿入口３１８ａから挿入されたクレジットカードや会員カード等に対して情報を読み書きする。プリンタ３１９は、制御部５０の制御に従い、レシートを印字してレシート発行口３１９ａから発行する。
【００２６】
また、会計装置３は、第１の筐体３０１の上面３０１ａの後方側に立設された円柱状の表示ポール３２５を備えている。表示ポール３２５は、上方の先端部に、青色または赤色に選択的に発光する発光部３２６を有している。発光部３２６は、会計装置３における処理状況に応じて色を変えて発光し、店員に注意喚起をする。なお、発光させる処理状況と、発光色、発光パターンはいずれも適宜設定することができる。発光部３２６は、高さのある表示ポール３２５の上端に設けられているため、登録装置２のオペレータのみならず、他の店員からも目立ち易い。登録装置２の位置からも発光を確認しやすいので、登録装置２の前に立つ客にとっても目視確認しやすい。
【００２７】
また、表示ポール３２５は、発光部３２６の下方に、情報表示部３２７を有している。情報表示部３２７は、例えば液晶パネルで構成されて、画像情報や文字情報を表示する。情報表示部３２７は、表示器３１５と同方向に表示面を向けて固定的に設置されている。情報表示部３２７には、例えば、会計装置３で発生したエラーの内容等を表示する。
【００２８】
第１の筐体３０１の側面３０１ｂには、カゴ８０を載置する載置台３２９が設けられている。載置台３２９の手前側の側面には、ハンドスキャナ３２８を引掛ける引掛部が設けられている。ハンドスキャナ３２８は、スキャナ３１７と同様に、買い忘れた商品の追加登録や、クーポン等のコード読取に用いられる。
【００２９】
本実施形態の会計装置３は、第１の筐体３０１の内部に、会計用ラベル７０のコードシンボル７１を撮像するためのカメラ３０３を備えている。図５に示すように、第１の筐体３０１の側面３０１ｂには、カメラ３０３用の読取窓３０４が設けられている。次に、図６を用いて、カメラ３０３の撮像領域および読取窓３０４の位置と、カゴ８０に貼り付けた会計用ラベル７０との位置関係について説明する。
【００３０】
図６は、図４に示したカゴ８０を載置台３２９に置いた際の会計装置３の外観図である。カメラ３０３は、読取窓３０４を介して、載置台３２９に置かれたカゴ８０のコードシンボル７１（図４参照）を撮像可能な位置に調節されて設置されている。
【００３１】
ここで、カゴ８０は、カゴ８０の長手方向が載置台３２９の奥行方向となるように、載置台３２９上に置かれる。このようにカゴ８０を置くことで、会計装置３の幅方向のサイズのコンパクト化を図っている。そして、図４にて上述したように、会計用ラベル７０はカゴ８０において面積が広い方の側面８１（図４参照）の略中央に貼り付けられる。
【００３２】
従って、予め会計用ラベル７０を当該位置に貼り付けたカゴ８０を載置台３２９に置いた上で、カメラ３０３の撮像画像を確認しながらカメラ３０３の位置、あるいは、会計用ラベル７０の貼り付け位置を調節しておくとよい。本実施形態では、このような調節工程を経て、第１の筐体３０１の側面３０１ｂに、カメラ３０３および読取窓３０４を配置した。これにより、客がカゴ８０を載置台３２９に乗せると、客が特に意識しなくてもカメラ３０３の撮像領域に会計用ラベル７０のコードシンボル７１を入れることができる。
【００３３】
会計処理の概略的手順としては、客は登録装置２のカウンタ５上からカゴ８０を持って、空いている会計装置３に移動し、会計装置３の載置台３２９上にカゴ８０を置く。会計装置３は、カメラ３０３がその撮像領域内にコードシンボル７１を検出すると、当該コードシンボル７１から会計識別情報を読み取って、対応する会計データを会計サーバ６に問合せる。そして、会計装置３は会計サーバ６から読み込んだ会計データに基づき、合計金額等の情報を表示器３１５に表示し、会計処理を開始する。客は会計装置３を操作して、現金、クレジットカード、電子マネー等により、商品の代金を支払う会計処理を行う。
【００３４】
尚、会計処理の終了後は、客がカゴ８０から会計用ラベル７０を剥がして、会計エリア６０に設置された回収箱に投入する。このように使用後の会計用ラベル７０を回収することで、他人の使用した会計用ラベル７０が悪用されることを防止する。
【００３５】
ここで更に、考えられる不正行為として、回収箱の有無にかかわらず、一度会計処理が終了した会計用ラベル７０を他人が悪用するケースが考えられる。回収箱から抜き取ったり、あるいは、剥がし忘れた会計用ラベル７０を回収されたカゴ８０から剥がしたりして、悪用される場合などである。
【００３６】
このような事態を想定し、本実施形態の会計装置３は、会計処理の終了後に、会計処理が正常に終了したこと示す情報を、会計サーバ６の記憶手段および記録媒体の少なくとも一方に書き込む。これにより、不正行為により会計処理済みの会計用ラベル７０からコードシンボル７１が読み取られて会計データの問合せがなされた際に、当該コードシンボル７１に対応する会計がすでに終了していることが判明し、エラー出力によって不正行為を防止することができる。
【００３７】
次に、登録装置２のハードウェア構成および機能的構成について説明する。
【００３８】
図７は、登録装置２のハードウェア構成および機能的構成を示すブロック図である。図７に示すように、登録装置２は、制御部１５０を備えている。制御部１５０は、制御処理を実行するＣＰＵ（Central  Processing  Unit）と、記憶媒体であるＲＯＭ（Read  Only  Memory）およびＲＡＭ（Random  Access  Memory）（いずれも不図示）等から構成される。ＲＯＭは、ＣＰＵが実行する各種プログラムや各種データを記憶する。ＲＡＭは、ＣＰＵが各種プログラムを実行する際に一時的にデータやプログラムを記憶する。
【００３９】
制御部１５０は、Ｉ／Ｏ（Input／Output）機器制御部１３９およびバス１３８を介して、スキャナ１１１と、タッチパネル１１３と、キーボード等の操作部１１５と、プリンタ１１６と、客用表示器１１７と、カードリーダ１１８と、ＨＤＤ（Hard  Disk  Drive）１３６とに接続されている。また、制御部１５０は、通信Ｉ／Ｆ（インタフェース）１４０を介して、ネットワークＮＴ（図１参照）で接続された会計サーバ６とデータ通信を行う。
【００４０】
操作部１１５は、現計キー１１５１、確定キー１１５２等の操作キーを備えている。現計キー１１５１は、一取引を締めて当該取引の支払処理（会計処理）に移行する指示を受付ける操作キーであり、合計金額を更新するための操作キーである。また、確定キー１１５２は、客層等の情報を入力することにより合計金額を確定する際に用いる操作キーである。登録装置２は、確定キー１１５２の操作をトリガとして、会計用ラベル７０の印刷と会計データの送信とを実行する。尚、上述した操作キーは、オペレータ用表示器１１４に表示され、タッチパネル１１３を介してその選択操作を受付けてもよい。
【００４１】
ＨＤＤ１３６は、制御部１５０のＣＰＵが実行するプログラム１３７と、ＰＬＵファイルＦ１と、売上ファイルＦ２とを格納している。ＰＬＵファイルＦ１は、各商品にユニークに割り当てられた商品コードと、その商品の名称、価格、商品分類等の商品に関する商品情報とを対応付けて格納している。また、登録装置２が商品を一般物体認識（オブジェクト認識）により特定する構成であれば、ＰＬＵファイルＦ１は、更に、各商品の特徴量または基準画像を記憶する。特徴量とは、商品の基準画像から読み取られた色合いや表面の凹凸状況等のデータである。売上ファイルＦ２は、登録装置２が登録した売上データを格納するファイルである。
【００４２】
次に、登録装置２が実行するプログラム１３７について説明する。
【００４３】
尚、本実施形態の登録装置２が実行するプログラム１３７は、ＨＤＤ１３６等に予め組み込まれて提供される。尚、本実施形態の登録装置２が実行するプログラム１３７は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４４】
さらに、本実施形態の登録装置２が実行するプログラム１３７を、インターネット等のネットワークに接続されたコンピュータ上に格納し、ネットワーク経由でダウンロードさせることにより提供するように構成しても良い。また、本実施形態の登録装置２が実行するプログラム１３７をインターネット等のネットワーク経由で提供または配布するように構成しても良い。
【００４５】
図７に示すように、プログラム１３７は、表示制御部１５１、入力受付部１５２、登録部１５３、データ通信部１５４、コードシンボル生成部１５５、印字制御部１５６を含むモジュール構成となっている。制御部１５０のＣＰＵ（プロセッサ）は、ＨＤＤ１３６からプログラム１３７を読み出して、上記各部を主記憶装置上にロードする。これにより上記各部が主記憶装置上に生成される。
【００４６】
表示制御部１５１は、オペレータ用表示器１１４、客用表示器１１７に出力する表示データを生成し、これら表示器における表示処理を制御する。例えば、表示制御部１５１は、商品登録処理を行うための登録画面をオペレータ用表示器１１４に表示する。また、表示制御部１５１は、確定キー１１５２が操作された際に、客用表示器１１７に「会計装置に移動して会計を行って下さい」等のメッセージを表示する。
【００４７】
入力受付部１５２は、スキャナ１１１、タッチパネル１１３、操作部１１５、カードリーダ１１８からの各種入力を受付ける。
【００４８】
登録部１５３は、スキャナ１１１、タッチパネル１１３を介して販売商品の商品コードや商品の名称が入力されると、当該商品の商品情報をＰＬＵファイルＦ１から読み込む。そして、登録部１５３は、現計キー１１５１を介して一取引を終了する指示が入力されると、当該取引における商品の登録処理を終了して、当該取引にかかる合計金額を算出する。そして登録部１５３は、当該取引において登録された全商品の商品情報、当該取引にかかる合計金額、登録装置２の識別情報、担当店員を特定する店員情報等を含めて、会計処理に用いられる会計データ（会計情報）を生成する。また、登録部１５３は、新たな会計データの生成時に会計データを特定する会計識別情報として、会計番号を発行する。
【００４９】
データ通信部１５４は、通信Ｉ／Ｆ１４０を介して接続された会計サーバ６との間におけるデータ通信を制御する。データ通信部１５４（会計情報送信手段）は、登録部１５３が生成した会計データと会計番号とを対応付けて、会計サーバ６に送信する。
【００５０】
コードシンボル生成部１５５は、登録部１５３が発行した会計番号を含むコードシンボルを生成する。
【００５１】
印字制御部１５６は、プリンタ１１６を制御して、コードシンボル生成部１５５が生成したコードシンボルをラベル用紙に印字出力し、会計用ラベル７０（図３参照）を発行する。即ち、印字制御部１５６は、会計データを特定する会計識別情報を記録媒体上に出力する会計識別情報出力手段の一例として機能する。
【００５２】
次に、会計装置３のハードウェア構成および機能的構成について説明する。
【００５３】
図８は、会計装置３のハードウェア構成および機能的構成を示すブロック図である。会計装置３は、ＣＰＵと、記憶媒体であるＲＯＭおよびＲＡＭ（いずれも不図示）等から構成されるコンピュータ構成の制御部３４０を備えている。ＲＯＭは、ＣＰＵが実行する各種プログラムや各種データを記憶する。ＲＡＭは、ＣＰＵが各種プログラムを実行する際に一時的にデータやプログラムを記憶する。
【００５４】
制御部３４０は、Ｉ／Ｏ機器制御部３１４およびバス３１２を介して、表示器３１５、タッチパネル３１６、スキャナ３１７、カードリーダ３１８、プリンタ３１９、釣銭機３２０、発光部３２６、情報表示部３２７、ハンドスキャナ３２８、カメラ３０３、ＨＤＤ３０５と接続している。制御部３４０は、通信Ｉ／Ｆ３１３を介して、ネットワークＮＴで接続された会計サーバ６とデータ通信を行う。
【００５５】
カードリーダ３１８は、カード挿入口３１８ａから挿入されたクレジットカードまたは会員カードから情報を読み取る。プリンタ３１９は、精算後にレシートを印刷して、これをレシート発行口３１９ａから発行する。釣銭機３２０は、紙幣投入口３２１に投入された紙幣、または、硬貨投入口３２３に投入された硬貨の入金処理を行う。また、釣銭機３２０は、制御部３４０からの出金指示に応じて、紙幣出金口３２２または硬貨出金部３２４から釣銭を払い出す。
【００５６】
ＨＤＤ３０５は、制御部３４０が実行するプログラム３０５１と、取引ファイルＦ３とを格納している。取引ファイルＦ３は、会計サーバ６から受信した会計データに基づき、会計装置３が実行した会計処理に関するデータ（取引データ）を格納するためのデータファイルである。
【００５７】
次に、会計装置３が実行するプログラム３０５１について説明する。
【００５８】
尚、本実施形態の会計装置３が実行するプログラム３０５１は、ＨＤＤ３０５に予め組み込まれて提供される。本実施形態の会計装置３が実行するプログラム３０５１は、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。
【００５９】
さらに、本実施形態の会計装置３が実行するプログラム３０５１を、インターネット等のネットワークに接続されたコンピュータ上に格納し、ネットワーク経由でダウンロードさせることにより提供するように構成しても良い。また、本実施形態の会計装置３が実行するプログラム３０５１をインターネット等のネットワーク経由で提供または配布するように構成しても良い。
【００６０】
図８に示すように、プログラム３０５１は、表示制御部３４１、入力受付部３４２、画像取込部３４３、コード読取部３４４、データ通信部３４５、会計処理部３４６、エラー出力部３４７を含むモジュール構成となっている。制御部３４０のＣＰＵ（プロセッサ）は、ＨＤＤ３０５からプログラム３０５１を読み出して、上記各部を主記憶装置上にロードする。これにより上記各部が主記憶装置上に生成される。
【００６１】
表示制御部３４１は、表示器３１５、情報表示部３２７における表示動作を制御する。
【００６２】
入力受付部３４２は、タッチパネル３１６、スキャナ３１７、カードリーダ３１８、釣銭機３２０、ハンドスキャナ３２８等からの各種入力を受付ける。
【００６３】
画像取込部３４３は、カメラ３０３の撮像画像を制御部４１のワークメモリ上に取り込む。ワークメモリ上には、カメラ３０３の撮像レートに応じてフレーム画像が順次取り込まれる。
【００６４】
コード読取部３４４は、画像取込部３４３が取り込んだ撮像画像から、コードシンボルを検出し、当該コードシンボルに含まれる情報を読み取る。具体的には、コード読取部３４４は、カゴ８０に貼り付けられた会計用ラベル７０のコードシンボル７１から、会計番号を読み取る。即ち、コード読取部３４４は、会計識別情報を読み取る読取手段の一例として機能する。
【００６５】
データ通信部３４５は、通信Ｉ／Ｆ３１３およびネットワークＮＴを介して接続された会計サーバ６との間のデータ通信を制御する。
【００６６】
会計処理部３４６（会計情報読込手段）は、コード読取部３４４がコードシンボル７１から読み取った会計番号を会計サーバ６に問い合わせて、会計サーバ６の会計データファイル６７２から会計番号に対応する会計データを読み込む。そして、会計処理部３４６（会計手段）は、読み込んだ会計データに含まれる合計金額について、客がタッチパネル３１６を介して選択した決済方法による会計処理を行う。つまり、現金決済であれば、釣銭機３２０を制御して硬貨投入口３２３または紙幣投入口３２１から入金された入金額をカウントし、釣りを計算したのち、釣銭分の貨幣を硬貨出金部３２４または紙幣出金口３２２から出金する。クレジット決済であれば、カードリーダ３１８からカード情報を読み込み、決済金額とともに決済サーバに送信し、決済処理を行う。
【００６７】
また、会計処理部３４６（会計処理状況管理手段）は、会計処理の終了後に、会計番号に対応する会計処理が終了したことを示す情報を、会計サーバ６の会計データファイル６７２に出力する。会計処理が終了したことを示す情報の例としては、会計データファイル６７２に会計処理の終了を示すフラグを立てるとし、フラグ値が初期値の０であれば会計処理は未会計であり、フラグ値が１であれば会計処理はすでに終了しているとすればよい。
【００６８】
エラー出力部３４７（エラー出力手段）は、会計データファイル６７２において、コード読取部３４４が読み取った会計番号に対応するフラグ値が１であれば、当該会計処理はすでに終了しているとして、エラー出力処理を行う。エラー出力処理では、エラー出力部３４７は、発光部３２６を赤色に点灯するとともに、情報表示部３２７にエラー発生を報知する情報を表示し、アテンダント店員等にエラー発生を報知する。また、エラー出力部３４７は、表示器３１５に、読み込んだ会計用ラベル７０はすでに使用済である旨の警告メッセージを表示出力する。
【００６９】
尚、エラー出力先は上述に限定されず、エラー出力部３４７は、会計サーバ６に会計番号とエラー情報とを出力し、会計サーバ６の表示器６６上に出力元の会計装置３を識別する情報と会計番号とエラー状況とを表示出力してもよい。会計サーバ６は、受信したエラー情報に基づいて、会計データファイル６７２にエラー状況を記録してもよい。
【００７０】
次に、会計サーバ６のハードウェア構成および機能的構成について説明する。
【００７１】
図９は、会計サーバ６のハードウェア構成および機能的構成を示すブロック図である。会計サーバ６は、ＣＰＵ、ＲＯＭ、ＲＡＭ等で構成されるコンピュータ構成の制御部６１を備える。また、制御部６１にはバス６２及びＩ／Ｏ機器制御部６４を介して、キーボード等の操作部６５、表示器６６、及びＨＤＤ６７が接続されている。制御部６１は、通信Ｉ／Ｆ６３及びネットワークＮＴを介して、登録装置２、会計装置３、および監視装置４との間でデータ通信を行う。
【００７２】
ＨＤＤ６７は、制御部６１が実行するプログラム６７１と、会計データファイル６７２を格納している。会計データファイル６７２（会計情報記憶手段）は、登録装置２から受信した会計番号と会計データとを対応付けて記憶するデータファイルである。
【００７３】
次に、会計サーバ６が実行するプログラム６７１について説明する。
【００７４】
尚、本実施形態の会計サーバ６が実行するプログラム６７１は、ＨＤＤ６７に予め組み込まれて提供される。本実施形態の会計サーバ６が実行するプログラム６７１は、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。
【００７５】
さらに、本実施形態の会計サーバ６が実行するプログラム６７１を、インターネット等のネットワークに接続されたコンピュータ上に格納し、ネットワーク経由でダウンロードさせることにより提供するように構成しても良い。また、本実施形態の会計サーバ６が実行するプログラム６７１をインターネット等のネットワーク経由で提供または配布するように構成しても良い。
【００７６】
図９に示すように、プログラム６７１は、通信制御部６１１、会計データ管理部６１２を含むモジュール構成となっている。制御部６１のＣＰＵ（プロセッサ）は、ＨＤＤ６７からプログラム６７１を読み出して、上記各部を主記憶装置上にロードする。これにより上記各部が主記憶装置上に生成される。
【００７７】
通信制御部６１１は、通信Ｉ／Ｆ６３およびネットワークＮＴを介して接続された登録装置２、会計装置３、監視装置４との間のデータ通信を制御する。
【００７８】
会計データ管理部６１２は、登録装置２が送信した会計番号と会計データとを対応付けて会計データファイル６７２に格納する会計情報管理手段として機能する。
【００７９】
次に、監視装置４のハードウェア構成および機能的構成について説明する。
【００８０】
図１０は、監視装置４のハードウェア構成および機能的構成を示すブロック図である。監視装置４は、ＣＰＵ、ＲＯＭ、ＲＡＭ等で構成されるコンピュータ構成の制御部４１を備える。また、制御部４１にはバス４２及びＩ／Ｏ機器制御部４４を介して、カメラ４５、警告灯４６、スピーカ４７が接続されている。制御部４１は、通信Ｉ／Ｆ４３及びネットワークＮＴを介して、会計サーバ６との間でデータ通信を行う。
【００８１】
次に、監視装置４が実行するプログラムについて説明する。
【００８２】
尚、本実施形態の監視装置４が実行するプログラムは、制御部４１のＲＯＭに予め組み込まれて提供される。本実施形態の監視装置４が実行するプログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供するように構成してもよい。
【００８３】
さらに、本実施形態の監視装置４が実行するプログラムを、インターネット等のネットワークに接続されたコンピュータ上に格納し、ネットワーク経由でダウンロードさせることにより提供するように構成しても良い。また、本実施形態の監視装置４が実行するプログラムをインターネット等のネットワーク経由で提供または配布するように構成しても良い。
【００８４】
図１０に示すように、監視装置４が実行するプログラムは、画像取込部４１１、コード読取部４１２、会計状況問合部４１３、エラー出力部４１４を含むモジュール構成となっている。制御部４１のＣＰＵ（プロセッサ）は、上記ＲＯＭからプログラムを読み出して、上記各部を主記憶装置上にロードする。これにより上記各部が主記憶装置上に生成される。
【００８５】
画像取込部４１１は、カメラ４５の撮像画像を制御部４１のワークメモリ上に取り込む。ワークメモリ上には、カメラ４５の撮像レートに応じてフレーム画像が順次取り込まれる。
【００８６】
コード読取部４１２は、画像取込部４１１が取り込んだ撮像画像から、コードシンボルを検出し、当該コードシンボルに含まれる情報を読み取る。具体的には、コード読取部４１２は、カゴ８０に貼り付けられた会計用ラベル７０のコードシンボル７１から、会計番号を読み取る。即ち、コード読取部４１２は、会計識別情報を読み取る読取手段の一例として機能する。
【００８７】
会計状況問合部４１３は、コード読取部４１２が読み取った会計番号に対応するフラグ値を会計サーバ６に問い合わせて、会計状況、即ち、当該会計処理がすでに終了済みか否かについて問い合わせる。
【００８８】
エラー出力部４１４（エラー出力手段）は、未会計の商品が入ったカゴ８０が会計エリア６０（図１参照）外に持ち出された際に不正行為を検出してエラー出力する。即ち、エラー出力部４１４は、会計データファイル６７２において、コード読取部４１２が読み取った会計番号に対応するフラグ値が０であれば、当該会計処理はまだ終了していないとして、エラー出力処理を行う。エラー出力処理では、エラー出力部４１４は、警告灯４６を点灯し、アテンダント店員等にエラー発生を報知する。また、エラー出力部４１４は、スピーカ４７を制御して、読み込んだ会計用ラベル７０はすでに使用済である旨の警告メッセージを音声出力する。
【００８９】
なお、エラー出力部４１４は、エラーが発生した会計番号を会計サーバ６に通知し、会計サーバ６は、当該会計番号のエラー内容について、会計データファイル６７２に記録するとしてもよい。
【００９０】
次に、会計システム１００の動作例について説明する。
【００９１】
図１１は、登録装置２および会計サーバ６が実行する会計データファイル更新処理の手順例を示したフローチャートである。
【００９２】
登録装置２は、商品登録処理を行う（ステップＳ１）。即ち、表示制御部１５１は登録画面をオペレータ用表示器１１４に表示する。入力受付部１５２は、スキャナ１１１またはタッチパネル１１３を介して商品コードの入力を受付ける。登録部１５３は、商品コードに対応する商品情報をＰＬＵファイルＦ１から読み込み、小計金額を算出する。
【００９３】
操作部１１５の現計キー１１５１の操作を受付けると（ステップＳ２：Ｙｅｓ）、登録部１５３は、当該取引にかかる合計金額を算出し、表示制御部１５１は合計金額をオペレータ用表示器１１４、客用表示器１１７に表示する（ステップＳ３）。現計キー１１５１の操作を受付けない間は（ステップＳ２：Ｎｏ）、ステップＳ１に戻って商品登録を続ける。入力受付部１５２が確定キー１１５２の操作を受付けると（ステップＳ４：Ｙｅｓ）、登録部１５３は販売商品の商品情報や合計金額等を含む売上データを生成し、売上ファイルＦ２に登録する（ステップＳ５）。尚、ステップＳ４：Ｎｏであれば、ステップＳ１に戻る。
【００９４】
また、登録部１５３は、当該取引において登録された全商品の商品情報、当該取引にかかる合計金額、登録装置２の識別情報、担当店員を特定する店員情報等を含めて会計データを生成する（ステップＳ６）。また、登録部１５３は、当該会計データを特定する会計番号を発行する（ステップＳ７）。データ通信部１５４は、会計番号と会計データとを対応付けて、会計サーバ６に送信する（ステップＳ８）。
【００９５】
そして、登録装置２のコードシンボル生成部１５５は、会計番号を含むコードシンボルを生成する（ステップＳ９）。印字制御部１５６は、プリンタ１１６を制御して、ステップＳ９で生成されたコードシンボルを印刷して、会計用ラベル７０を発行する（ステップＳ１０）。オペレータは、登録済みの商品が入ったカゴ８０（図４参照）に会計用ラベル７０を貼り付けて、客に、会計装置３で会計処理を行うよう伝える。登録装置２は、次の客の商品登録（ステップＳ１）に移行する。
【００９６】
会計サーバ６において、通信制御部６１１は、登録装置２がステップＳ８で送信した会計番号と会計データを受信する（ステップＳ１１）。会計データ管理部６１２は、ステップＳ１１で受信した会計番号と会計データとを対応付けて、会計データファイル６７２に格納する。これにより、会計データ管理部６１２は、会計データファイル６７２を更新する（ステップＳ１２）。
【００９７】
図１２は、会計装置３および会計サーバ６が実行する会計データファイル更新処理の手順例を示したフローチャートである。
【００９８】
客は、会計用ラベル７０が貼り付けられたカゴ８０を持って、空いている会計装置３に移動し、会計装置３の載置台３２９にカゴ８０を置く。会計装置３において、画像取込部３４３は、カメラ３０３の撮像画像を取り込む。撮像画像にコードシンボルが検出されない間（ステップＳ２１：Ｎｏ）は、ステップＳ２１に戻ってコードシンボルの検出処理を続ける。
【００９９】
撮像画像においてコードシンボルが検出されると（ステップＳ２１：Ｙｅｓ）、コード読取部３４４はコードシンボルをデコードして情報を読み取る。コードシンボルから会計番号を読み取った場合（ステップＳ２２：Ｙｅｓ）には、当該会計番号を会計サーバ６に送信して会計データを問合せる（ステップＳ２３）。コードシンボルから読み取った情報が会計番号以外の情報である場合には（ステップＳ２２：Ｎｏ）、ステップＳ２１に戻って引き続きコードシンボルの検出を続ける。
【０１００】
会計サーバ６の会計データ管理部６１２は、会計装置３から問合せのあった会計番号に対応する会計データおよび会計の有無を示すフラグ値を会計データファイル６７２から読み込んで、問合せ元の会計装置３に送信応答する（ステップＳ３１）。
【０１０１】
会計装置３の会計処理部３４６は、フラグ値が１であれば（ステップＳ２４：Ｎｏ）、。当該会計はすでに会計済みであり、適切な会計用ラベル７０の読み込みではないと判定する。エラー出力部３４７は、発光部３２６を警告モードで点灯し、情報表示部３２７にエラー内容を表示してエラー出力を行う（ステップＳ２５）。
【０１０２】
一方、フラグ値が０であれば（ステップＳ２４：Ｙｅｓ）、当該会計では未会計であり、適切な会計用ラベル７０の読み込みである。この場合に、会計装置３の表示制御部３４１は、会計サーバ６から受信した会計データに基づいて、合計金額を表示器３１５に表示する。また、会計処理部３４６は、客が操作部１１５から選択した決済方法による会計処理を行う（ステップＳ２６）。会計処理が正常に終了すれば（ステップＳ２７：Ｙｅｓ）、会計処理部３４６は会計データに基づいてレシートデータを生成し、プリンタ３１９によりレシートを印字し、レシート発行口３１９ａから発行する（ステップＳ２８）。また、会計処理部３４６は、会計番号に対応する会計処理が終了したことを示す情報を、会計サーバ６に通知する（ステップＳ２９）。会計サーバ６の会計データ管理部６１２は、通知に応じて、会計データファイル６７２の当該会計番号に該当するフラグ値を１に変更し、会計データファイル６７２を更新する（ステップＳ３２）。
【０１０３】
一方、会計処理が所定時間たっても終了しない場合には（ステップＳ２７：Ｎｏ）、エラー出力部３４７は、発光部３２６を注意モードで点灯し、情報表示部３２７にエラー内容を表示してエラー出力を行う（ステップＳ３０）。
【０１０４】
図１３は、監視装置４および会計サーバ６が実行する監視処理の手順例を示したフローチャートである。
【０１０５】
会計処理を終了した客は、会計エリア６０を出て荷詰めスペースへ移動する際に、監視装置４のゲート間を通過する。監視装置４の画像取込部４１１は、カメラ４５の撮像画像を取り込む。撮像画像にコードシンボルが検出されない間（ステップＳ４１：Ｎｏ）は、ステップＳ４１に戻ってコードシンボルの検出処理を続ける。
【０１０６】
撮像画像においてコードシンボルを検出すると（ステップＳ４１：Ｙｅｓ）、コード読取部４１２はコードシンボルをデコードして情報を読み取る。コードシンボルから会計番号を読み取った場合（ステップＳ４２：Ｙｅｓ）には、会計状況問合部４１３は、当該会計番号を会計サーバ６に送信して会計状況を問合せる（ステップＳ４３）。コードシンボルから読み取った情報が会計番号以外の情報である場合には（ステップＳ４２：Ｎｏ）、ステップＳ４１に戻って引き続きコードシンボルの検出を続ける。
【０１０７】
会計サーバ６の会計データ管理部６１２は、問合せのあった会計番号のフラグ値を会計データファイル６７２から読み込んで、問合せ元の監視装置４に送信応答する（ステップＳ５１）。監視装置４の会計状況問合部４１３は、フラグ値が１であれば、カゴ８０の中の商品は支払済み、即ち会計処理が正常に終了しているとして（ステップＳ４４：Ｙｅｓ）、エラー出力はせずにステップＳ４１に戻り、監視処理を続ける。一方、フラグ値が０であれば、エラー出力部４１４は、カゴ８０の中の商品は支払済みではないとして（ステップＳ４４：Ｎｏ）、エラー出力処理を行う（ステップＳ４５）。即ち、エラー出力部４１４は、警告灯４６を点灯するとともに、警告メッセージや警告音をスピーカ４７から出力する。
【０１０８】
（その他の態様）
・ＲＦＩＤタグを用いる例
上述では、登録装置２は会計番号を含むコードシンボル７１を会計用ラベル７０に印刷し、会計識別情報を記録保持した記録媒体として会計用ラベル７０を用いたが、その他の記録媒体に会計識別情報を記録保持してもよい。例えば、ＲＦＩＤ（Radio  Frequency  Identification）タグなどの記録媒体を用いてもよい。この場合、カゴ８０にＲＦＩＤタグを取り付けておき、登録装置２はＲＦＩＤリーダライタを用いて、近距離無線通信を介して、カゴ８０のＲＦＩＤタグに会計番号を書き込む。
【０１０９】
会計装置３には、載置台３２９、または、第１の筐体３０１の側面３０１ｂにおいて、載置台３２９上に置かれたカゴ８０のＲＦＩＤタグの位置に対応する位置に、ＲＦＩＤリーダライタを設けておく。そして、載置台３２９にカゴ８０が置かれて、ＲＦＩＤリーダライタがＲＦＩＤタグから会計番号を読み取ると（読取手段のその他の例）、会計装置３は当該会計番号を会計サーバ６に問い合わせて、会計データを読み込めばよい（会計情報読込手段のその他の例）。
【０１１０】
尚、このようにＲＦＩＤタグを用いる場合、会計装置３はＲＦＩＤリーダライタを備えて、会計処理の終了後にＲＦＩＤタグに会計処理が正常に終了したことを示す情報を書き込んでもよい（会計処理状況管理手段のその他の例）。即ち、会計装置３（会計処理状況管理手段）は、会計処理の終了後に、会計識別情報に対応する会計処理が終了したことを示す情報を、会計サーバ６の会計データファイル６７２、および、記録媒体（例えば、ＲＦＩＤタグ）のうち少なくとも一方に書き込めばよい。
【０１１１】
そして、会計装置３は、ＲＦＩＤタグに会計処理が終了したことを示す情報が書き込まれていれば、当該ＲＦＩＤタグは付されたカゴの中身はすでに会計済みであるとして、エラー出力を行ってもよい。
【０１１２】
また、監視装置４はＲＦＩＤリーダを備えて、会計処理が正常に終了したことを示す情報が書き込まれていないＲＦＩＤタグを検出した際に、未会計の商品が会計エリア６０から不正に持ち出されるとして、エラー出力を行ってもよい。
【０１１３】
・会計装置のその他の構成例
上述した会計装置３の構成について、第１の筐体３０１と第２の筐体３０２とを含めて本体と称するとすれば、当該本体は、表示器３１５と、決済媒体（紙幣または硬貨またはクレジットカード等）の挿入口と、レシートの発行口とを備えている。尚、図４、図５で例示した会計装置３の外観的構成により、本実施形態の会計装置３の構成は何ら限定されるものはない。また、決済媒体の種類によっても、本実施形態にかかる会計装置３の構成は何ら限定されない。また、本体の側部（側面）には、登録装置２により登録処理が行われた商品を載置する載置台３２９が設けられるとしたが、載置台が会計装置３とは別体である構成において、当該載置台上のカゴに付された記録媒体から会計番号を読み取るとしてもよい。
【０１１４】
また、本体の側面部、即ち、側面３０１ｂには、載置台３２９上の物品を撮像する撮像手段として、カメラ３０３の読取窓３０４を設けるとしたが、カメラ３０３の設置場所はこれに限定されない。その他の例として、カメラが会計装置３とは別体である構成において、当該カメラの撮像画像に含まれるコードシンボルから会計番号を読み取るとしてもよい。
【０１１５】
以上説明した通り、上記実施形態によれば、会計処理での客捌きの効率向上を図ることができる会計システムおよび会計装置を提供することができる。
【０１１６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１７】
２  登録装置
３  会計装置
４  監視装置
６  会計サーバ
７０  会計用ラベル
７１  コードシンボル
８０  カゴ
１００  会計システム
３０１  第１の筐体
３０１ｂ  側面
３０３  カメラ
３０４  読取窓
３２９  載置台
６７２  会計データファイル
【先行技術文献】
【特許文献】
【０１１８】
【特許文献１】特許第５７８３１４９号公報
【図１】
2019128782.tif 000003
【図２】
2019128782.tif 000004
【図３】
2019128782.tif 000005
【図４】
2019128782.tif 000006
【図５】
2019128782.tif 000007
【図６】
2019128782.tif 000008
【図７】
2019128782.tif 000009
【図８】
2019128782.tif 000010
【図９】
2019128782.tif 000011
【図１０】
2019128782.tif 000012
【図１１】
2019128782.tif 000013
【図１２】
2019128782.tif 000014
【図１３】
2019128782.tif 000015